(57)【特許請求の範囲】
【請求項１】
炊飯器本体と、
この炊飯器本体に収容される有底筒形状の容器と、
この容器が収容されたか否かを検出する容器検出部と、
前記容器を加熱する加熱手段と、
この加熱手段を制御する制御部と、
この制御部に電源を供給する商用電源およびバックアップ電源と、
前記制御部への電源供給を前記商用電源またはバックアップ電源に切り換えて行う電源切換部と、
前記制御部へ動作指令を入力する操作キーと、を備え、
前記容器検出部により容器の未収容が検出された場合には商用電源を、容器の収容が検出され、前記操作キーからの入力が所定時間無い場合にはバックアップ電源を前記電源切換部により前記制御部に供給することを特徴とする炊飯器。
【請求項２】
炊飯器本体と、
この炊飯器本体に収容される有底筒形状の容器と、
この容器の温度を検出する温度センサと、
前記容器を加熱する加熱手段と、
この加熱手段を制御する制御部と、
この制御部に電源を供給する商用電源およびバックアップ電源と、
前記制御部への電源供給を前記商用電源またはバックアップ電源に切り換えて行う電源切換部と、前記制御部へ動作指令を入力する操作キーと、を備え、
前記電源切換部は、前記温度センサによる容器の温度が所定温度以下の場合には商用電源を前記制御部に供給し、その後、前記操作キーからの入力が所定時間無い場合にはバックアップ電源を前記制御部に供給することを特徴とする炊飯器。
【請求項３】
炊飯器本体と、
この炊飯器本体に収容される有底筒形状の容器と、
この容器の炊飯器本体収納時の全重量を検出する重量センサと、
前記容器を加熱する加熱手段と、
この加熱手段を制御する制御部と、
この制御部に電源を供給する商用電源およびバックアップ電源と、
前記制御部への電源供給を前記商用電源またはバックアップ電源に切り換えて行う電源切換部と、
前記制御部へ動作指令を入力する操作キーと、を備え、
前記電源切換部は、前記重量センサによる容器の全重量が容器単体の重量を超えた場合には商用電源を前記制御部に供給し、その後、前記操作キーからの入力が所定時間無い場合にはバックアップ電源を前記制御部に供給することを特徴とする炊飯器。
【請求項４】
前記操作キーに予約炊飯を設定する予約炊飯キーを有し、前記予約炊飯キーにより予約炊飯設定後、炊飯開始時刻までは、前記電源切換部によりバックアップ電源を供給させることを特徴とする請求項１乃至３記載の炊飯器。
【請求項５】
容器の上面を開閉する蓋と、この蓋の開閉を検出する蓋開閉検出部とを備え、
前記電源切換部は、
前記制御部への電源供給を商用電源に切り換える場合には、
前記蓋開閉検出部が蓋の開放を検出したときに行い、
前記制御部への電源供給をバックアップ電源に切り換える場合には、
前記蓋開閉検出部が蓋の閉塞を検出し、前記操作キーからの入力が所定時間無いときに行なう
ことを特徴とする請求項１乃至４記載の炊飯器。
【発明の詳細な説明】
【０００１】
【発明の属する技術分野】
この発明は、一般家庭で使用され、マイクロコンピュータで制御される炊飯器に関するものである。
【０００２】
【従来の技術】
従来の炊飯器は、マイクロコンピュータを備えた制御部により制御されており、炊飯器に商用電源が供給されていない場合には、制御部は電池等のバックアップ電源により電源が供給され、その機能を維持している。
また、炊飯器の電源プラグがコンセントに挿入され、炊飯器本体に商用電源が供給された場合には、制御部への電源供給がバックアップ電源から商用電源に切り替わり、炊飯動作や保温動作等の各種動作をする／しないに関係なく、常に電源回路および制御回路等に商用電源から電源が供給され、マイクロコンピュータ、センサ、表示器等が常に稼動状態となる。
【０００３】
【発明が解決しようとする課題】
上記のような従来の炊飯器では、炊飯動作や保温動作をしていない間であっても商用電源を消費しているという問題点があった。
また、炊飯器の一日の炊飯動作や保温動作は数時間程度であり、１日のうち、動作時間よりも非動作時間の方が長いにもかかわらず、この非動作時間にも常に商用電源を消費しているという問題点があった。
さらに、予約炊飯のように炊飯開始時刻を設定した後、炊飯開始時刻までの非動作時間であるにも関らず、常に商用電源を消費しており、この間での消費電力はたとえ小さなものであっても時間を要するため、商用電源の大きなロスになってしまうという問題点があった。
【０００４】
この発明は、上述のような課題を解決するためになされたもので、商用電源からの電力消費を減少させた省エネ機能を有する炊飯器を得るものである。
【０００５】
【課題を解決するための手段】
この発明に係る炊飯器は、炊飯器本体と、この炊飯器本体に収容される有底筒形状の容器と、この容器が収容されたか否かを検出する容器検出部と、前記容器を加熱する加熱手段と、この加熱手段を制御する制御部と、この制御部に電源を供給する商用電源およびバックアップ電源と、前記制御部への電源供給を前記商用電源またはバックアップ電源に切り換えて行う電源切換部と、前記制御部へ動作指令を入力する操作キーと、を備え、前記容器検出部により容器の未収容が検出された場合には商用電源を、容器の収容が検出され、前記操作キーからの入力が所定時間無い場合にはバックアップ電源を前記電源切換部により前記制御部に供給するものである。
【０００６】
また、炊飯器本体と、この炊飯器本体に収容される有底筒形状の容器と、この容器の温度を検出する温度センサと、前記容器を加熱する加熱手段と、この加熱手段を制御する制御部と、この制御部に電源を供給する商用電源およびバックアップ電源と、前記制御部への電源供給を前記商用電源またはバックアップ電源に切り換えて行う電源切換部と、前記制御部へ動作指令を入力する操作キーと、を備え、前記電源切換部は、前記温度センサによる容器の温度が所定温度以下の場合には商用電源を前記制御部に供給し、その後、前記操作キーからの入力が所定時間無い場合にはバックアップ電源を前記制御部に供給するものである。
【０００７】
さらに、炊飯器本体と、この炊飯器本体に収容される有底筒形状の容器と、この容器の炊飯器本体収納時の全重量を検出する重量センサと、前記容器を加熱する加熱手段と、この加熱手段を制御する制御部と、この制御部に電源を供給する商用電源およびバックアップ電源と、前記制御部への電源供給を前記商用電源またはバックアップ電源に切り換えて行う電源切換部と、前記制御部へ動作指令を入力する操作キーと、を備え、前記電源切換部は、前記重量センサによる容器の全重量が容器単体の重量を超えた場合には商用電源を前記制御部に供給し、その後、前記操作キーからの入力が所定時間無い場合にはバックアップ電源を前記制御部に供給するものである。
【０００８】
また、前記操作キーに予約炊飯を設定する予約炊飯キーを有し、前記予約炊飯キーにより予約炊飯設定後、炊飯開始時刻までは、前記電源切換部によりバックアップ電源を供給させるものである
【０００９】
さらに、容器の上面を開閉する蓋と、この蓋の開閉を検出する蓋開閉検出部とを備え、前記電源切換部は、前記制御部への電源供給を商用電源に切り換える場合には、前記蓋開閉検出部が蓋の開放を検出したときに行い、前記制御部への電源供給をバックアップ電源に切り換える場合には、前記蓋開閉検出部が蓋の閉塞を検出し、前記操作キーからの入力が所定時間無いときに行なうものである。
【００１０】
【発明の実施の形態】
実施の形態１．
図１はこの発明の実施の形態１を示す炊飯器の縦断面模式図、図２はこの炊飯器の操作パネルを示す図、図３はこの炊飯器の制御ブロック図、図４はこの炊飯器の動作を示すフローチャートである。
【００１１】
図において、１は炊飯器本体、２は炊飯器本体１に着脱自在に収容され、米、水を収容する有底筒状の容器（内釜）、３は容器２の底部を加熱する加熱手段であるヒータ、４は炊飯器本体１の上面を開閉する蓋、５は蓋４の開閉を検出する蓋開閉検出部であるマイクロスイッチからなる蓋スイッチ、６は容器２の温度を検出する温度センサである。
【００１２】
７は本体１の外周側に設けられた操作パネルであり、操作パネル７は炊飯開始を入力する炊飯キー８と、例えば翌日の朝等に予約炊飯する場合に炊飯開始時刻を設定する予約炊飯キー９と、炊き上がった米飯の保温を入力する保温キー１０と、現在時刻や予約炊飯開始時刻を設定入力する時計キー１１と、白米、おかゆ、玄米等の炊飯メニューを入力するメニューキー１２と、炊飯、保温、予約炊飯等の設定を取り消す取消キー１３と、現在時刻、予約炊飯時刻、メニューや炊飯状態等を液晶により表示する表示器１４により構成される。
【００１３】
１５はＡＣ１００Ｖの商用電源であり、電源プラグ１５aを介して本体１に商用電源が供給される。１６は炊飯器を駆動制御する制御部であり、マイクロコンピュータ等により構成されている。１７は商用電源１５からの電力が供給されない場合に、電源回路１８（後述）を介して制御部１６に電力を供給するバッテリー（例えば、ＤＣ３Ｖ）、１８は商用電源が供給されると、バッテリー１７からの電路を遮断するとともに、商用電源１５（ＡＣ１００Ｖ）をダイオード等により減圧整流して直流電源を創出し、制御部１６に供給する電源回路、１９は商用電源１５と電源回路１８の間に設けられ、商用電源の供給をＯＮ／ＯＦＦする電源切換スイッチである。
【００１４】
制御部１６は、蓋スイッチ５、炊飯キー８、予約炊飯キー９、保温キー１０、時計キー１１、メニューキー１２、取消キー１３のいずれかのキーから入力信号があった場合に、どのキーからの入力であるかを判定するとともに、蓋スイッチ５または温度センサ６からの入力信号を判定する判定手段２０と、表示器１４の表示を制御する表示器制御手段２１と、ヒータ３の加熱を制御するヒータ制御手段２２と、判定手段２０による蓋スイッチ５または温度センサ６の入力信号に基づいて、電源切換スイッチ１９をＯＮ／ＯＦＦ制御する電源切換回路２３と、予め設定された所定の時間を記憶しておき、蓋４の開閉後のキー入力までの時間をカウントダウンするタイマー２４と、時刻設定機能（図示せず）とにより構成される。
なお、電源回路１８、電源切換スイッチ１９、電源切換回路２３により電源切換部を構成している。
【００１５】
次に、動作について、図４のフローチャートを用いて説明する。
まず、炊飯器は、工場から製造出荷後、バッテリー１７により制御部１６の機能は維持されているが、表示器１４は現在時刻等の表示を消去した待機モードになっている。
使用者は、まず、米を研いで容器２に米と水を収容する。そこで、電源プラグ１５ａをコンセントに挿入し、炊飯器本体１に容器２を収容するために、蓋４を開放する。これにより、蓋スイッチ５がＯＮして、このＯＮ信号は制御部１６の判定手段２０へ入力される。
【００１６】
判定手段２０は、入力した信号が蓋スイッチ５のＯＮ信号であるか否かを判定しており（ステップＳ１）、ＯＮ信号であれば制御部１６は電源切換回路２３を稼動させ電源切換スイッチ１９をＯＮさせて商用電源１５から電源回路１８へ商用電源（ＡＣ１００Ｖ）を供給する。電源回路１８は商用電源が供給されると、バッテリー１７の電路を遮断すると共に、商用電源（ＡＣ１００Ｖ）を減圧整流して直流電源にして制御部１６へ供給し、表示器１４に通電して、現在時刻を表示する（ステップＳ２）。
【００１７】
その後、使用者は容器２を本体１に収容し、蓋４を閉塞する。蓋４が閉塞されると、蓋スイッチ５がＯＦＦして、このＯＦＦ信号は判定手段２０へ入力される。判定手段２０は、入力した信号が蓋スイッチ５のＯＦＦ信号か否かを判定しており（ステップＳ３）、ＯＦＦ信号であれば制御部１６はタイマー２４を初期化し（ステップＳ４）、操作パネル７の操作キーの入力の有無を判定する（ステップＳ５）。
【００１８】
そこで、操作キーの入力がない場合には、タイマー２４は予め設定された時間Ｔ、例えばＴ＝２分のカウントダウンを開始し（ステップＳ６）、２分間キー入力を待ち（ステップＳ７）、２分経過してもキー入力がない場合には、判定手段２０は電源切換回路２３を稼動させ電源切換スイッチ１９をＯＦＦして、商用電源１５からの商用電源（ＡＣ１００Ｖ）の供給を遮断する。商用電源の供給がなくなると、電源回路１８はバッテリー１７からの電源供給に切り換え、表示器１４の通電を停止し、制御部１６の機能を維持して、初期の待機モード状態にする（ステップＳ２２）。一方、ステップＳ７で、２分経過していない場合には、ステップＳ５へ戻り、操作パネル７の操作キーの入力の有無を判定する。
【００１９】
ステップＳ５において、操作キーの入力がある場合には、判定手段２０は、入力した信号が炊飯キー８からの信号であるか否かを判定しており（ステップＳ８）、炊飯キー８の入力であれば、ヒータ制御手段２２を稼動させ、ヒータ３により容器２を加熱して炊飯を開始すると共に、表示器制御手段２１を稼動させ表示器１４に炊飯中である旨を表示して、温度センサ６により容器２の温度を検知しながら、炊飯モードを実行する（ステップＳ９）。炊飯が終了すると、制御部１６は保温モードに移行する（ステップＳ１０）。その後、判定手段２０は、操作パネル７の取消キー１３が操作されたか否かを判定し（ステップＳ１１）、保温中に取消キー１３が操作された場合には、待機モードに移行する（ステップＳ２２）。一方、ステップＳ１１で、取消キー１３が操作されない場合には、ステップＳ１０へ戻り、保温モードを継続する。
【００２０】
ステップＳ８において、判定手段２０が炊飯キー８の入力がないと判定すると、次に、予約炊飯キー９の入力であるか否かを判定し（ステップＳ１２）、予約炊飯キー９の入力であれば、使用者が時計キー１１を操作して予め設定した炊飯開始時刻、例えば翌朝６時に炊飯開始をセットすると（ステップＳ１３）、翌朝６時まで炊飯開始を待機する（ステップＳ１４）。その後、時間が経過して翌朝の６時になると、ステップＳ９と同様に炊飯モードを実行する（ステップＳ１５）。炊飯が終了すると、制御部１６は保温モードに移行する（ステップＳ１６）。その後、判定手段２０は、操作パネル７の取消キー１３が操作されたか否かを判定し（ステップＳ１７）、保温中に取消キー１３が操作された場合には、待機モードに移行する（ステップＳ２２）。一方、ステップＳ１７で、取消キー１３が操作されない場合には、ステップＳ１６へ戻り、保温モードを継続する。
【００２１】
ステップＳ１２において、判定手段２０が予約炊飯キー９の入力がないと判定すると、次に、保温キー１０の入力であるか否かを判定し（ステップＳ１８）、保温キー１０の入力であれば、保温モードに移行する（ステップＳ１９）。その後、判定手段２０は、操作パネル７の取消キー１３が操作されたか否かを判定し（ステップＳ２０）、保温中に取消キー１３が操作された場合には、待機モードに移行する（ステップＳ２２）。一方、ステップＳ２０で、取消キー１３が操作されない場合には、ステップＳ１９へ戻り、保温モードを継続する。
【００２２】
ステップＳ１８において、判定手段２０が保温キー１０の入力がないと判定すると、取消キー１３の入力であるか否かを判定し（ステップＳ２１）、取消キー１３でなければステップＳ４へ戻り、タイマー２４を初期化する。取消キー１３の入力があると、待機モード（ステップＳ２２）に移行する。
【００２３】
以上のように、この実施の形態１では、蓋の開閉および各種キー入力の有無を検出し、炊飯準備中や炊飯中及び保温中等の動作中以外では、商用電源からの電力が供給されないので、電力消費を削減でき省エネ形の炊飯器を得ることができる。また、非動作時には表示器の表示も消去するので更に省エネになる。
【００２４】
実施の形態２．
図５はこの発明の実施の形態２を示す炊飯器の縦断面模式図、図６はこの炊飯器の制御ブロック図、図７はこの炊飯器の動作を示すフローチャートである。図において、上記実施の形態と同一又は相当分には同一符号を付け、説明を省略する。５１は温度センサ６に設けられ、容器２が本体１内に収容されたか否かを検知する容器検出部であるマイクロスイッチからなる容器スイッチであり、容器検出部を示す。
【００２５】
次に、動作について、図７のフローチャートを用いて説明する。
まず、使用者が蓋４を開放して容器２を取り出す。これにより、容器スイッチ５１がＯＮして、このＯＮ信号は制御部１６の判定手段２０へ入力される。判定手段２０は入力した信号が容器スイッチ５１のＯＮ信号であるか否かを判定しており（ステップＳ３１）、ＯＮ信号であれば制御部１６は電源切換回路２３を稼動させ電源切換スイッチ１９をＯＮさせて商用電源１５から電源回路１８へ商用電源（ＡＣ１００Ｖ）を供給する。電源回路１８は商用電源が供給されると、バッテリー１７の電路を遮断すると共に、商用電源（ＡＣ１００Ｖ）を減圧整流して直流電源にして制御部１６へ供給し、表示器１４に通電して、現在時刻を表示する（ステップＳ３２）。
【００２６】
使用者は取り出した容器２に米と水を収容して容器２を本体１に収容して蓋４を閉塞する。容器２が収容されると、容器スイッチ５１がＯＦＦとなり、このＯＦＦ信号が判定手段２０へ入力される。判定手段２０は入力した信号が容器スイッチ５１のＯＦＦ信号か否かを判定しており（ステップＳ３３）、ＯＦＦ信号であれば制御部１６はタイマー２４を初期化して（ステップＳ３４）操作パネル７のキー入力の有無を判定する（ステップＳ３５）。これ以降のステップＳ３５〜ステップＳ５２の動作は、上記実施の形態１のステップＳ５〜ステップＳ２２の動作と同一であるため、説明を省略する。
【００２７】
以上のように、この実施の形態２では、容器スイッチ５１による容器２の有無および各種キー入力の有無を検出し、炊飯準備中や炊飯中及び保温中等の動作中以外では、商用電源からの電力が供給されないので、電力消費を削減でき省エネ形の炊飯器を得ることができる。また、非動作時には表示器の表示も消去するので更に省エネになる。
【００２８】
実施の形態３．
図８はこの発明の実施の形態３を示す炊飯器の縦断面模式図、図９はこの炊飯器の制御ブロック図、図１０はこの炊飯器の動作を示すフローチャートである。図において、上記実施の形態と同一又は相当分には同一符号を付け、説明を省略する。
なお、この実施の形態３は上記実施の形態１から蓋スイッチ５を省略したもので、その他の構成は上記実施の形態１と同様である。
【００２９】
次に、動作について、図１０のフローチャートを用いて説明する。
通常、炊飯するために使用される水は室温より温度が低いのが一般的であるため、その水によって炊飯準備された容器２の温度は室温より低くなる。そこで、米と水を収容した容器２を本体１に収容した時に容器２の温度を温度センサ６により検知し、この検知温度結果に基づき商用電源１５とバッテリー１７からの電源供給を切り換えるものである。
【００３０】
まず、米と水を収容した容器２が本体１に収容されると、容器２の底面に当接した温度センサ６が容器２の温度ｔを検知し、その検知温度ｔを制御部１６の判定手段２０に入力する。判定手段２０は予め設定された判定温度Ｔ、例えば２０℃の室温と検知温度ｔを比較判定し（ステップＳ７１）、ｔ＜Ｔであれば制御部１６はタイマー２４を初期化し（ステップＳ７３）、電源切換回路２３を制御する。
【００３１】
すなわち、制御部１６は電源切換回路２３を稼動させ、電源切換スイッチ１９をＯＮさせて商用電源１５から電源回路１８へ商用電源（ＡＣ１００Ｖ）を供給する。電源回路１８は商用電源が供給されると、バッテリー１７の回路を遮断すると共に、商用電源（ＡＣ１００Ｖ）を減圧整流して直流電源にして制御部１６に供給し、表示器１４に通電して、現在時刻等を表示する（ステップＳ７２）。一方、ステップＳ７１において、ｔ＜Ｔでない時、例えば前回の炊飯直後に連続して炊飯した場合には、容器２自体が温まっており、洗米した米と水を入れても容器の温度がすぐには水と同じ温度にはならないので、時間が経過し、容器２の温度が低下するのを待つ。
【００３２】
これ以降のステップＳ７４〜ステップＳ９１の動作は、上記実施の形態１のステップＳ５〜ステップＳ２２の動作と同一であるため、説明を省略する。
なお、判定温度Ｔを季節による水の温度変化に応じて可変させてもよく、例えば操作パネル７に温度入力キーを設け、この温度入力キーにより判定温度Ｔを変化させてもよい。あるいは、制御部１６にカレンダー機能を持たせ、季節の変化に応じて自動的に判定温度Ｔを変化させるようにしてもよい。
【００３３】
以上のように、この実施の形態３では、温度センサによる容器の有無および各種キー入力の有無を検出し、炊飯準備中や炊飯中及び保温中等の動作中以外では、商用電源からの電力が供給されないので、電力消費を削減でき省エネ形の炊飯器を得ることができる。また、非動作時には表示器の表示も消去するので更に省エネになる。
【００３４】
実施の形態４．
図１１はこの発明の実施の形態４を示す炊飯器の縦断面模式図、図１２はこの炊飯器の制御ブロック図、図１３はこの炊飯器の動作を示すフローチャートである。図において、上記実施の形態と同一又は相当分には同一符号を付け、説明を省略する。６１は温度センサ６に設けられ、容器２の重量を検出する重量センサである。
【００３５】
次に動作について、図１３のフローチャートを用いて説明する。
使用者が米と水を収容した容器２を本体１内に収容すると、重量センサ６１が米と水を含む容器２の重量を測定し、その重量信号Ｗ１を制御部１６の判定手段２０へ入力する。判定手段２０はこの重量信号Ｗ１と予め設定された容器２だけの重量Ｗ０を比較判定する（ステップＳ１０１）。この比較判定結果がＷ１＞Ｗ０であれば、電源切換回路２３を稼動させて電源切換スイッチ１９をＯＮして商用電源１５から電源回路１８へ商用電源（ＡＣ１００Ｖ）を供給する。電源回路１８は商用電源が供給されるとバッテリー１７の電路を遮断すると共に、商用電源（ＡＣ１００Ｖ）を減圧整流して直流電源にして制御部１６へ供給し、表示器１４に通電して現在時刻等を表示する（ステップＳ１０２）。
【００３６】
その後、タイマー２４を初期化し（ステップＳ１０３）、操作パネル７の操作の入力の有無を判定する（ステップＳ１０４）。そこで、操作キーの入力がない場合には、タイマー２４は予め設定された時間例えば２分のカウントダウンを開始し（ステップＳ１０５）、２分間キー入力を待ち、２分経過してもキー入力がない場合には、判定手段２０は電源切換回路２３を稼動させ、電源切換スイッチ１９をＯＦＦして商用電源１５からの商用電源（ＡＣ１００Ｖ）の供給を遮断する（ステップＳ１０６）。
【００３７】
商用電源の供給がなくなると電源回路１８はバッテリー１７からの電源により制御部１６の機能を維持して表示器１４の表示等を消去して初期の待機モードとする（ステップＳ１２１）。それ以降のステップＳ１０７〜ステップＳ１２０の動作は実施の形態１のステップＳ８〜ステップＳ２１の動作と同一であるため、説明を省略する。
【００３８】
以上のように、この実施の形態４では、重量センサによる米と水を収容した容器の有無および各種キー入力の有無を検出し、炊飯準備中や炊飯中及び保温中等の動作中以外では、商用電源からの電力が供給されないので、電力消費を削減でき省エネ形の炊飯器を得ることができる。また、非動作時には表示器の表示も消去するので更に省エネになる。
【００３９】
実施の形態５．
実施の形態１、２、３、４では、予約炊飯キー９の操作による予約炊飯時には炊飯開始までの待機時間中も商用電源１５により本体１を動作させ、表示器１４には現在時刻や予約炊飯時刻等を表示するものを示したが、本実施の形態５では予約炊飯開始時までの間は待機モードとするものである。
図１４はこの発明の実施の形態５を示す炊飯器の動作を示すフローチャートである。なお、この炊飯器の縦断面模式図、制御ブロック図は、上記実施の形態１の図１、図３と同一である。
【００４０】
次に動作について、図１４のフローチャートを用いて説明する。
ここでは、予約炊飯キー９が操作された場合のみについて説明し、炊飯キー８、保温キー１０、取消キー１３が操作された場合については実施の形態１、２、３、４と同一であり、説明を省略する。
【００４１】
商用電源（ＡＣ１００Ｖ）が減圧整流されて電源回路１８から制御部１６へ直流電源が供給された後、判定手段２０は予約炊飯キー９が操作されたか否かを制御部１６の判定し（ステップＳ１３１）、予約炊飯キー９が操作され、使用者が時計キー１１を操作して予め設定した時刻、例えば翌朝６時に炊飯開始をセットすると（ステップＳ１３２）、表示器１４に炊飯開始時刻が表示され、炊飯開始まで予約待機モードとなる（ステップＳ１３３）。
【００４２】
制御部１６は、予約待機モードであることを判定手段２０に指令し、この指定に基づき判定手段２０は、電源切換回路２３を稼動させ電源切換スイッチ１９をＯＦＦして、商用電源１５からの商用電源（ＡＣ１００Ｖ）を遮断する。商用電源の供給がなくなると電源回路１８はバッテリー１７からの電源に切り換え、表示器１４への通電を停止し、表示器１４の表示を消去し、制御部１６の機能を維持して待機モード状態にする（ステップＳ１３４）。
【００４３】
判定手段２０は炊飯開始時刻であるか否かを判定し（ステップＳ１３５）、時刻が経過し、炊飯開始時刻の翌朝６時になると、炊飯開始時刻であると判定し、電源切換回路２３を稼動させ電源切換スイッチ１９をＯＮさせて電源プラグ１５ａから電源回路１８へ商用電源（ＡＣ１００Ｖ）を供給する。電源回路１８は商用電源が供給されると、バッテリー１７の電路を遮断すると共に、商用電源（ＡＣ１００Ｖ）を減圧整流して直流電源にして制御部１６に供給し、表示器１４に通電して炊飯中である旨の表示を行う（ステップＳ１３６）。
【００４４】
これ以降のステップＳ１３７〜ステップＳ１４０の動作は、上記実施の形態１のステップＳ１５〜ステップＳ１７及びステップＳ２２の動作と同一であるため、説明を省略する。
【００４５】
以上のように、この実施の形態５では、予約待機時には商用電源からの電力が供給されないので、電力消費を削減でき省エネ形の炊飯器を得ることができる。また、表示器の表示も消去するので更に省エネになる。
【００４６】
【発明の効果】
この発明は、以上説明したように構成されているので、以下に示すような効果を奏する。
【００４７】
容器検出部により容器の未収容が検出された場合には商用電源を、容器の収容が検出され、操作キーからの入力が所定時間無い場合にはバックアップ電源を電源切換部により制御部に供給するので、電力消費を削減でき省エネ形の炊飯器を得ることができる。
【００４８】
また、電源切換部は、前記温度センサによる容器の温度が所定温度以下の場合には商用電源を制御部に供給し、その後、操作キーからの入力が所定時間無い場合にはバックアップ電源を制御部に供給するので、電力消費を削減でき省エネ形の炊飯器を得ることができる。
【００４９】
さらに、電源切換部は、重量センサによる容器の全重量が容器単体の重量を超えた場合には商用電源を制御部に供給し、その後、操作キーからの入力が所定時間無い場合にはバックアップ電源を制御部に供給するので、電力消費を削減でき省エネ形の炊飯器を得ることができる。
【００５０】
また、予約炊飯キーにより予約炊飯設定後、炊飯開始時刻までは、電源切換部によりバックアップ電源を供給させるので、電力消費を削減でき省エネ形の炊飯器を得ることができる。
【００５１】
また、電源切換部は、制御部への電源供給を商用電源に切り換える場合には、蓋開閉検出部が蓋の開放を検出したときに行い、制御部への電源供給をバックアップ電源に切り換える場合には、蓋開閉検出部が蓋の閉塞を検出し、操作キーからの入力が所定時間無いときに行なうので、電力消費を削減でき省エネ形の炊飯器を得ることができる。
【図面の簡単な説明】
【図１】  この発明の実施の形態１を示す炊飯器の縦断面模式図である。
【図２】  この発明の実施の形態１を示す炊飯器の操作パネルを示す図である。
【図３】  この発明の実施の形態１を示す炊飯器の制御ブロック図である。
【図４】  この発明の実施の形態１を示す炊飯器の動作を示すフローチャートである。
【図５】  この発明の実施の形態２を示す炊飯器の縦断面模式図である。
【図６】  この発明の実施の形態２を示す炊飯器の制御ブロック図である。
【図７】  この発明の実施の形態２を示す炊飯器の動作を示すフローチャートである。
【図８】  この発明の実施の形態３を示す炊飯器の縦断面模式図である。
【図９】  この発明の実施の形態３を示す炊飯器の制御ブロック図である。
【図１０】  この発明の実施の形態３を示す炊飯器の動作を示すフローチャートである。
【図１１】  この発明の実施の形態４を示す炊飯器の縦断面模式図である。
【図１２】  この発明の実施の形態４を示す炊飯器の制御ブロック図である。
【図１３】  この発明の実施の形態４を示す炊飯器の動作を示すフローチャートである。
【図１４】  この発明の実施の形態５を示す炊飯器の動作を示すフローチャートである。
【符号の説明】
１  炊飯器本体、  ２  容器、  ４  蓋、  ５  蓋スイッチ、  ６  温度センサ、  ７  操作パネル、  ９  予約炊飯キー、  １５  商用電源、  １６  制御部、  １７  バッテリー、  １８  電源回路、  １９  電源切換スイッチ、  ２０  判定手段、  ２３  電源切換回路、  ２４  タイマー、  ５１  容器スイッチ、  ６１  重量センサ。
【図１】
0003674766.tif 000002
【図２】
0003674766.tif 000003
【図３】
0003674766.tif 000004
【図４】
0003674766.tif 000005
【図５】
0003674766.tif 000006
【図６】
0003674766.tif 000007
【図７】
0003674766.tif 000008
【図８】
0003674766.tif 000009
【図９】
0003674766.tif 000010
【図１０】
0003674766.tif 000011
【図１１】
0003674766.tif 000012
【図１２】
0003674766.tif 000013
【図１３】
0003674766.tif 000014
【図１４】
0003674766.tif 000015